(57)【特許請求の範囲】
【請求項１】
木質基材の裏面側に線ヒーターあるいは面ヒーターである電気発熱体と電気的接続用のコネクタを少なくとも備えた電気式床暖房フロア用のヒーターパネルを、前記電気式床暖房フロアの一方の側辺に前記電気的接続用のコネクタが配置されるように、前記側辺に沿って複数枚配列される電気式床暖房フロアに用いる配線ケーブルと配線パネルの組み合わせであって、
前記配線ケーブルは、第１のコネクタを介して直列に接続可能な複数個の分割配線ケーブルに分割されており、該分割配線ケーブルは、両端に第１のコネクタが取付けられた電源線と、該電源線から分岐し、分岐した先端に、前記ヒーターパネルの前記電気的接続用のコネクタに接続する第２のコネクタが取り付けられた分岐線を有し、
前記各分割配線ケーブルの電源線は、前記側辺に沿った方向のヒーターパネルの長さに応じた長さとなっており、
前記配線パネルの裏面には、前記分割配線ケーブルを収容する凹溝が形成され、
前記配線パネルの裏面の周辺部には、前記分岐線の第２のコネクタを収容する収容凹部が形成され、
前記配線パネルの裏面の周辺部よりも内側には、前記電源線の第１のコネクタ同士が接続された接続部を収容する収容凹部が形成されていることを特徴とする配線ケーブルと配線パネルの組み合わせ。
【請求項２】
前記凹溝は、長手方向および短手方向に直交する長手方向の凹溝および短手方向の凹溝で構成されており、前記長手方向の凹溝には前記電源線が収容され、前記短手方向の凹溝には、前記分岐線が収容されることを特徴とする請求項１に記載の配線ケーブルと配線パネルの組み合わせ。
【発明の詳細な説明】
【技術分野】
【０００１】
本発明は、発熱体として線ヒーターあるいはＰＴＣヒーターのような面ヒーターを備えた電気式のヒーターパネルを用いて電気式床暖房フロアを施工をするときに用いる配線ケーブルと配線パネルの組み合わせに関する。
【背景技術】
【０００２】
木質基材の裏面側に線ヒーターや面ヒーターを組み込んだヒーターパネルを用い、それをコンクリートスラブのような床下地面に直貼りして電気式床暖房フロアとすることが行われる。直貼り式の電気式床暖房フロアでは、商用電源からヒーターパネルに電気を供給するのに格別の工夫を必要とする。その一例が特許文献１あるいは特許文献２に記載されており、そこでは、ヒーターパネルに取り付けたコネクタを商用電源に接続するために特別の配線ケーブルを用いている。施工に当たって、配線ケーブルの一端側をヒーターパネルのコネクタに接続しながら、配線ケーブルをコンクリートスラブである床下地面上に走らせ、その上から、裏面に凹溝を有する周辺パネル（配線パネル）を、当該凹溝内に配線した配線ケーブルを収容しながら床下地面に貼り付けるようにしている。
【０００３】
図７は、そこで用いられる配線ケーブル３０であり、図７（ａ）に示すように、電源線３１と複数個のコネクタ３２から構成される。最先端のコネクタ３２ａを除き、他のコネクタ３２は枝分かれした分岐線３１ａの先端に取り付けられている。電源線３１の他方端は、図７（ａ）には示されない壁面に取り付けたコントローラ等を介して商用電源に接続され、各コネクタ３２は直貼りしたヒーターパネルのコネクタに接続される。通常、配線ケーブル３０は、図７（ｂ）に示すように巻き込んだ状態で梱包されて施工現場に持ち込まれ、そこで、図７（ａ）に示すように広げた状態とされる。
【先行技術文献】
【特許文献】
【０００４】
【特許文献１】特開２００５−１０６３０１号公報
【特許文献２】特開２００６−８３５６８号公報
【発明の開示】
【発明が解決しようとする課題】
【０００５】
図７に示したような配線ケーブルを用いることにより、コンクリートスラブのような床下地面上に直貼りしたヒーターパネルを商用電源に電気的に接続する作業を容易に行うことができる。しかし、床下地面上に配線した配線ケーブルの上から、裏面に凹溝を有する配線パネルを、その凹溝内に配線ケーブルを収容しながら確実に配置していくためには、床下地面上での配線ケーブルの位置決め作業を慎重にかつ精度よく行う必要がある。配線ケーブルの位置決めが不正確になると、配線パネルの配線溝（凹溝）から配線ケーブルがはみ出てしまい、段差や踏感不都合が発生する恐れがある。このことは、長い電源線に多数個のコネクタを取り付けた配線ケーブルでは特に起こりやすい。さらに、配線ケーブルは巻き込んだ状態で梱包されて施工現場に持ち込まれることから、施工時に、施工現場で開梱したときに、長い電源線に残っている巻き癖を取り去ることは容易でない。それらのことから、施工現場での配線ケーブルの配線作業には、慎重かつ長時間の作業を要しているのが現状である。
【０００６】
配線作業を容易かつ迅速化するための手段として、前記特許文献２には、配線ケーブルの位置決め用治具を用いることが提案されているが、それぞれの施工現場に応じて、この種の治具を準備することが必要となる。
【０００７】
本発明は、上記のような事情に鑑みてなされたものであり、コンクリートスラブのような床下地面上に、裏面に発熱体を備えた複数枚のヒーターパネルを直貼りして電気式床暖房フロアを構築する作業を、より容易にかつ迅速に行いうるようにした、さらに改良された配線ケーブルと配線パネルの組み合わせを提供することを課題とする。
【課題を解決するための手段】
【０００８】
本発明による配線パネルの組み合わせは、木質基材の裏面側に線ヒーターあるいは面ヒーターである電気発熱体と電気的接続用のコネクタを少なくとも備えた電気式床暖房フロア用のヒーターパネルを、前記電気式床暖房フロアの一方の側辺に前記電気的接続用のコネクタが配置されるように、前記側辺に沿って複数枚敷設される電気式床暖房フロアに用いる配線ケーブルと配線パネルの組み合わせであって、前記配線ケーブルは、第１のコネクタを介して直列に接続可能な複数個の分割配線ケーブルに分割されており、該分割配線ケーブルには前記ヒーターパネルの前記電気的接続用のコネクタに接続する第２のコネクタが取り付けられており、前記分割配線ケーブルは、前記側辺に沿った方向のヒーターパネルの長さに応じた長さとなっており、前記配線パネルには、前記分割配線ケーブルを収容する凹溝が形成されていることを特徴とする。
【０００９】
また、本発明の配線ケーブルと配線パネルの組み合わせによる電気式床暖房フロアの施工方法は、床下地面に裏面に発熱体を備えた複数枚のヒーターパネルを直貼り施工する電気式床暖房フロアの施工方法であって、電気式床暖房フロアの一方の側辺に位置する各ヒーターパネルに取り付けた各コネクタに上記した配線ケーブルにおける分割配線ケーブルに取り付けた第２のコネクタを接続する第１工程と、隣接する分割配線ケーブルの第１のコネクタ同士を直列に接続しながら配線ケーブルを床下地面上に配線する第２工程と、裏面に凹溝を形成した配線パネルの該凹溝内に前記配線された配線ケーブルを収容するようにして配線パネルを直貼りする第３工程と、を少なくとも備えることを特徴とする。
【００１０】
上記のように、本発明における配線ケーブルは、複数個の分割配線ケーブルに分割されており、電気式床暖房フロアの施工現場では、それを第１のコネクタ同士を用いて直列に接続しながら、床下地上に配線する。また、各分割配線ケーブルには、ヒーターパネルのコネクタに接続する１個の第２のコネクタが取り付けられている。そのために、床下地に直貼りされたヒーターパネルのピッチにあわせて、各分割配線ケーブルを位置決めしながら配線していく作業を容易にかつ迅速に行うことが可能となる。
【００１１】
また、分割配線ケーブルは、従来の一体型の配線ケーブルと比較して短いものであり、各分割配線ケーブルを巻き込むことなく、そのままの姿勢で梱包し、施工現場に搬入することができる。そのために、各分割配線ケーブルに巻き癖が付くのを回避することができ、その点からも、施工現場での各分割配線ケーブルの位置決め作業は容易化する。
【００１２】
さらに、従来は、施工現場に合わせた異なった数のコネクタを一本の電源線に取り付けた多種類の配線ケーブルを準備しておく必要があったが、本発明によれば、基準となる１種の分割配線ケーブルを準備しておくだけで、多数の施工現場に対処することが可能となるので、在庫管理も容易となる。
【００１３】
本発明の配線ケーブルと配線パネルの組み合わせによる電気式床暖房フロアの施工方法において、使用するすべての分割配線ケーブルについて前記第１の工程と第２の工程とを行った後、配線後の分割配線ケーブルに対して前記第３の工程を行うようにしてもよい。また、使用する分割配線ケーブルの一部について前記第１の工程と第２の工程とを行い、かつ配線された分割配線ケーブルに対して前記第３の工程を行う処理を繰り返すことによって、必要とされる分割配線ケーブルの配線と配線パネルの直貼り作業を行うようにしてもよい。
【００１４】
後者の施工態様のように、部分的に分割配線ケーブルの配線と配線パネルの直貼り作業を行い、それを繰り返すことにより、分割配線ケーブルの床下地面上での正確な位置決め作業を、より容易に行うことが可能となる。
【発明の効果】
【００１５】
本発明による配線ケーブルと配線パネルの組み合わせを用いることにより、床下地面に裏面に発熱体を備えた複数枚のヒーターパネルを直貼りして電気式床暖房フロアを施工する作業における、配線パネルを直貼りする作業を、より容易にかつ迅速に行いことができる。結果として、電気式床暖房フロアを施工全体を迅速化することができる。
【図面の簡単な説明】
【００１６】
【図１】本発明による配線ケーブルを説明する図。
【図２】本発明による配線ケーブルの使用態様を説明する第１の図。
【図３】本発明による配線ケーブルの使用態様を説明する第２の図。
【図４】本発明による配線ケーブルと共に用いる配線パネルの一例を示す背面図。
【図５】本発明による配線ケーブルを用いて施工した電気式床暖房フロアの施工方法の一例を説明する図であり、図５（ａ）は施工後の状態を、図５（ｂ）は施工途中の状態を示している。
【図６】本発明による配線ケーブルと共に用いるパネルヒータの一例を説明する図。
【図７】従来の配線ケーブルの一例を示す図。
【発明を実施するための形態】
【００１７】
以下、図面を参照しながら、本発明を実施の形態に基づき説明する。図１は本発明による配線ケーブルを説明する図、図２および図３は本発明による配線ケーブルの使用態様を説明する図、図４は本発明による配線ケーブルと共に用いる配線パネルの一例を示す背面図、図５は本発明による配線ケーブルを用いて施工した電気式床暖房フロアの施工方法の一例を説明する図、図６は本発明による配線ケーブルと共に用いるパネルヒータの一例を説明する図である。
【００１８】
本発明による配線ケーブル１は、複数個の分割配線ケーブル２で構成される。図１に示す例では、配線ケーブル１は、３種類の分割配線ケーブル２ａ，２ｂ，２ｃからなる。第１の分割配線ケーブル２ａは、電源線３の両端に第１のコネクタ４，４を取り付けており、電源線３の所定位置から分岐線５を分岐させ、その先端に第２のコネクタ６を接続している。第２の分割配線ケーブル２ｂは、電源線３の一端に第１のコネクタ４を接続し、他端に第２のコネクタ６を接続している。第３の分割配線ケーブル２ｃは、長尺状の電源線３ａを有し、その一端に第１のコネクタ４を接続している。
【００１９】
この配線ケーブル１は、使用時には、次のようにして接続される。すなわち、図２に１例を示すように、必要個数（図２では３個）の第１の分割配線ケーブル２ａが、互いの端部に接続した第１のコネクタ４，４同士を接続することによって直列に接続され、最先端の第１の分割配線ケーブル２ａには、第２の分割配線ケーブル２ｂがやはり互いの第１のコネクタ４，４同士を接続することにより直列に接続され、最後端の第１の分割配線ケーブル２ａには、第３の分割配線ケーブル２ｃがやはり互いの第１のコネクタ４，４同士を接続することにより直列に接続される。
【００２０】
図３は、電気式床暖房フロアにおいて用いられるヒーターパネルＡと前記配線ケーブル１の接続態様を示している。この例で、同形態である４個のヒーターパネルＡａ〜Ａｄが床下地面の一例であるコンクリートスラブＣ上で横方向に配列している。配線ケーブル１の最先端に位置する第２の分割配線ケーブル２ｂの先端に接続した第２のコネクタ６が、図で最も左側に位置するヒーターパネルＡａのコネクタに接続し、３個の第１の分割配線ケーブル２ａに取り付けられた第２のコネクタ６が、ヒーターパネルＡｂ，Ａｃ，Ａｄのコネクタにそれぞれ接続している。そして、第３の分割配線ケーブル２ｃの長尺状の電源線３ａの他方端は、図３には示されない商用電源のコネクタ等に接続している。
【００２１】
なお、そのようにして配線ケーブル１をコンクリートスラブＣ上に配線した後、あるいは配線しながら、図４に示すような、裏面に配線ケーブル１を収容する凹溝１０を備えた配線パネルＢ１を、配線ケーブル１の上から順次貼り付けることにより、電気式床暖房フロアとされる。
【００２２】
作業手順としては、コンクリートスラブＣ上に配置した例えば４個のヒーターパネルＡａ〜Ａｄの各コネクタに、第２の分割配線ケーブル２ｂおよび第１の分割配線ケーブル２ａに取り付けた第２のコネクタ６・・を接続する（第１の工程）。次に、各分割配線ケーブル２ａ，２ｂの第１のコネクタ４，４同士を接続しながら、コンクリートスラブＣ上で、全体を直列に接合しながら、所定位置に配線する（第２の工程）。最後に、第３の分割配線ケーブル２ｃの第１のコネクタ４を最も右側に位置する第１の分割配線ケーブル２ａの第１のコネクタ４と接続し（第２の工程）、その後、前記した配線パネルＢ１を床下地面に貼り付ける（第３の工程）。
【００２３】
なお、すべての分割配線ケーブルについて前記第１の工程を行い、次に、すべての分割配線ケーブルについて前記第２の工程を行い、そのようにして配線された配線ケーブル１に対して配線パネルＢ１を上から貼り付けるようにしてもよく、それらの工程を部分的に分割して行うようにしてもよい。
【００２４】
部分的に行う場合、例えば、ヒーターパネルＡａのコネクタに、第２の分割配線ケーブル２ｂに取り付けた第２のコネクタ６を接続するとともに、その電源線３を位置決めしながら床下地面上に配線し、その後、１つの配線パネルＢ１を裏面の凹溝１０内に電源線３を収容して貼り付ける。次に、貼り付けた配線パネルＢ１の側方に飛び出ている第２の分割配線ケーブル２ｂの端部に取り付けてある第１のコネクタ４と、第１の分割配線ケーブル２ａの第１のコネクタ４とを接続し、さらに第１の分割配線ケーブル２ａの第２のコネクタ６をヒーターパネルＡｂのコネクタに接続した後、その電源線３を位置決めしながら床下地面上に配線する。配線後、１つの配線パネルＢ１を裏面の凹溝１０内に電源線３を収容して貼り付ける。以下、同様な作業を、ヒーターパネルＡｃ，Ａｄに対して行っていくことにより、すべての配線作業と配線パネルＢ１の貼り付け作業を終了する。
【００２５】
このように部分的に配線作業と配線パネルＢ１の貼り付け作業を行うことにより、各分割配線ケーブルの正確な配線をより迅速にかつ容易に行うことが可能となる。
【００２６】
上記のように、本発明による配線ケーブル１は、分割配線ケーブル２ａ，２ｂおよび２ｃの組み合わせ体で構成され、第３の分割配線ケーブル２ｃを除き、その長さはヒーターパネルＡの横幅程度と短い。従って、施工現場での取り扱いは容易であり、また床下地面上で所定の箇所に位置決めしながら配線していくことも容易である。そのために、その上から前記配線パネルＢ１を、その凹溝１０内に配線ケーブル１を収容しながら貼り付けていく作業も容易にかつ確実に行うことができる。さらに、工場で各分割配線ケーブルを製造することも容易となる。
【００２７】
梱包に当たっても、第１の分割配線ケーブル２ａと第２の分割配線ケーブル２ｂは短いものであり、図１に示すようなそのままの姿勢で梱包することができ、巻き癖が生じるのを回避できる。第３の分割配線ケーブル２ｃは長尺状の電源線３ａを有しており、梱包時には図１に示すよう巻き込まれて梱包される。そのために、開梱時に巻き癖が残るが、第３の分割配線ケーブル２ｃは壁面等を通って商用電源に接続するためのものであり、巻き癖が付いていても、電気式床暖房フロアの施工上では、格別の問題はない。
【００２８】
なお、本発明による配線ケーブルは、１個の第２の分割配線ケーブル２ｂと、必要個数の第１の分割配線ケーブル２ａと、１個の第３の分割配線ケーブル２ｃで構成されてもよく、第２の分割配線ケーブル２ｂを組み込まずに、必要個数の第１の分割配線ケーブル２ａと、１個の第３の分割配線ケーブル２ｃのみで構成されてもよい。施工現場の環境に応じて適宜選択する。第３の分割配線ケーブル２ｃを省略することも可能であり、その場合には第３の分割配線ケーブル２ｃに相当する部品を施工現場で調達すればよい。
【００２９】
次に、本発明による電気式床暖房フロアの施工方法の一実施の形態をより詳細に説明する。図６は、そこで使用するヒーターパネルＡの一例を示す。図６（ａ）はバッカー材などを取り除いた状態の背面図、図６（ｂ）は断面図を示している。この例で、ヒーターパネルＡは、合板などである木質基材１１の裏面に一定パターンにヒーター線用の凹溝１２が形成され、そこにヒーター線１３が埋め込まれると共に、線ヒーター１３に電気的に接続する雄コネクタ１４、雌コネクタ１５がやはり木質基板１１の裏面に形成した切り込み部１６内に配置されている。また、サーモスタット１７が配置され、安全性を確保している。木質基材１１の裏面にはアルミ箔などからなる均熱層１８が形成され、かつ、バッカー材１９が積層される。均熱層１８は設けなくてもよい。
【００３０】
電気式床暖房フロアを施工するに当たっては、図５に示すように、コンクリートスラブＣの上に、貼り出し用ヒーターパネルＡ１とヒーターパネルＡ、および周辺パネルＢを直貼りする。なお、貼り出し用ヒーターパネルＡ１は、図６に示したヒーターパネルＡから一方のコネクタを除去したものであり、周辺パネルＢは、ヒーター線１３を有しないパネルである。より具体的には、一方の壁面側に周辺パネルＢを貼り、次に、貼り出し用ヒーターパネルＡ１を取り付け、以下、必要枚数のヒーターパネルＡを多段に貼り付ける。その両辺にも周辺パネルＢを貼り付ける。なお、この例では、伝熱面は２つの区分に分けられており、最下段、すなわち電気式床暖房フロアの一方の側辺には、２つのヒーターパネルＡａ、Ａｂが各伝熱区分への電流取り入れ部として配置してある。このヒーターパネルＡａ、Ａｂが、図３に基づき説明したヒーターパネルＡａ，Ａｂに相当する。
【００３１】
２つのヒーターパネルＡａ、Ａｂに商用電源から電気を供給するために、図１に示した配線ケーブル１を用いる。この例では、電気式床暖房フロアの一方の側辺に位置するヒーターパネルはヒーターパネルＡａ、Ａｂの２個であり、従って、１個の第２の分割配線ケーブル２ｂと、１個の第１の分割配線ケーブル１ａと、１個の第３の分割配線ケーブル２ｃとからなる配線ケーブル１を用いる。
【００３２】
梱包を開き、１個の第２の分割配線ケーブル２ｂと、１個の第１の分割配線ケーブル１ａと、１個の第３の分割配線ケーブル２ｃとを取り出す。第２の分割配線ケーブル２ｂの先端に取り付けた第２のコネクタ６をヒーターパネルＡａに取り付けたコネクタ１５ａに接続する。また、第１の分割配線ケーブル２ａに取り付けられている第２のコネクタ６をヒーターパネルＡｂに取り付けたコネクタ１５ｂに接続する。
【００３３】
次に、第２の分割配線ケーブル２ｂの第１のコネクタ４と第１の分割配線ケーブル２ａの第１のコネクタ４とを接続し、さらに、第１の分割配線ケーブル２ａの他方の第１のコネクタ４に第３の分割配線ケーブル２ｃの第１のコネクタ４を接続する。その状態で、図５（ｂ）に示すように、各電源線３および分岐線５をコンクリートスラブＣ上の所定の位置に位置決めし、好ましくは粘着テープ等を用いて仮止めする。この作業は、第１の分割配線ケーブル２ａおよび第２の分割配線ケーブル２ｂが短いものであり、かつ使用するヒーターパネルＡａ、Ａｂの長さに合わせて、予め電源線３および分岐線５の長さが設定してあるので、きわめて容易であり、かつ短時間で行うことができる。次に、第３の分割配線ケーブル２ｃの長尺状の電源線３ａを、コントロールボックスが位置する壁２０まで案内し、壁裏面を通してリレーボックス２１に接続する（図５（ａ）参照）。
【００３４】
配線ケーブル１の床下地面（コンクリートスラブＣ）上への配線作業が終了した後、前記した配線パネルＢ１を、その裏面に形成した凹溝１０内に電源線３、分岐線５を収容するようにして、床下地面の上に貼り付ける。それにより、現場での施工は終了し、図５（ａ）に示す電気式床暖房フロアが完成する。上記のように、電源線３および分岐線５の位置決めは、確実に行われており、配線パネルＢ１の貼り付け作業も容易となる。
【００３５】
なお、前記したように、分割配線ケーブルの配線作業と配線パネルの貼り付け作業を、部分的に行うようにしてもよく、それにより、各分割配線ケーブルの正確な配線をより迅速に行うことができる。また、図５では、ヒーターパネルＡや配線パネルＢ１等を矩形状のものとしているが、これは図示を簡素化するためであり、図３，図４に示すような、雁木状とされたヒーターパネルＡや配線パネルＢ１等を用いる場合も、施工作業は同じである。
【００３６】
なお、配線パネルＢ１にも、図６に示したヒーターパネルＡと同じように、裏面にバッカー材１９が積層され、前記凹溝１０は、バッカー材１９を通して形成される。また、前記凹溝１０は、図４に示すように、配線パネルＢ１の長手方向および短手方向に直交する２つの凹溝１０ａ，１０ｂで構成することが望ましく、さらに、長手方向の凹溝１０ａの一部に、前記分割配線ケーブルの第１のコネクタ４，４同士が接続するための幅広部１０ｃを形成することが望ましい。この場合、各分割配線ケーブルの第１のコネクタ４，４同士が前記幅広部１０ｃで接続できるように、各分割配線ケーブルの電源線３の長さを予め設定しておく。このように、分割配線ケーブル同士の接続部を配線パネルＢ１の周辺部（サネ部）でなく、パネル内部に設けることにより、施工後の電気式床暖房フロアにおいて、サネ部で沈み込みを感じるような不都合を有効に回避することができ、満足した踏感が得られる。
【００３７】
なお、上記の説明では、最下段のヒーターパネルＡａ、Ａｂに対向する配線パネルＢ１にのみ裏面に凹溝を形成したが、他の箇所の周辺パネルＢにも裏面に凹溝１０を形成しておいてもよい。それにより、施工現場で突然リレーボックス２１の取り付け位置が変更されるような場合、あるいは、ヒーターパネルＡの貼り付け方向を変更するような場合、などにおいて、配線ケーブル１の走る方向がその場で変更することとなるが、それに対する対処も容易となる。
【符号の説明】
【００３８】
Ａ…ヒータパネル、Ａ１…貼り出し用ヒーターパネル、Ａａ、Ａｂ…電気式床暖房フロアの一方の側辺に位置するヒーターパネル、Ｂ…周辺パネル、Ｂ１…配線パネル、Ｃ…コンクリートスラブ（床下地面）１…配線ケーブル、２…分割配線ケーブル、２ａ…第１の分割配線ケーブル、２ｂ…第２の分割配線ケーブル、２ｃ…第３の分割配線ケーブル、３…電源線、３ａ…長尺状の電源線、４…第１のコネクタ、５…分岐線、６…第２のコネクタ、１０…配線パネルの裏面に形成した凹溝、１０ｃ…凹溝の幅広部、１１…木質基材、１２…ヒーター線用の凹溝、１３…ヒーター線、１４…雄コネクタ、１５…雌コネクタ、１６…木質基板の裏面に形成した切り込み部、１７…サーモスタット、１９…バッカー材
【図１】
0005555753.tif 000002
【図２】
0005555753.tif 000003
【図３】
0005555753.tif 000004
【図４】
0005555753.tif 000005
【図５】
0005555753.tif 000006
【図６】
0005555753.tif 000007
【図７】
0005555753.tif 000008